(57)【要約】【課題】安全にＷｅｂサイトを利用できるＷｅｂサイト接続管理システムを提供する。【解決手段】Ｗｅｂサイト接続管理システム１０では、発信装置１００とBluetooth（登録商標）通信する端末２００が通信可能な管理サーバ３００を備え、管理サーバ３００は、端末２００から送信された識別符号ＩＤ及びＵＲＬと、管理テーブル３０８とを照合し、照合結果を前記端末２００に送信し、端末２００は、照合結果に基づいて、受信した前記識別符号ＩＤに関連づけられたＵＲＬが示すＷｅｂサイトに接続可能となることにより、利用者は、安全にＷｅｂサイトの利用をすることができる。【選択図】図１
2018147181.tif 000002
【特許請求の範囲】
【請求項１】
発信装置とBluetooth（登録商標）通信する端末が通信可能な管理サーバを備えるＷｅｂサイト接続管理システムであって、
前記発信装置は、前記発信装置を識別する識別符号が記録される発信記憶部を有し、
前記管理サーバは、前記識別符号及び前記発信装置と関連づけられたＷｅｂサイトのＵＲＬが記憶される管理テーブルを有するデータベース部を有し、
前記端末は、前記発信装置から受信した前記識別符号及び前記受信した前記識別符号に関連づけられたＵＲＬを前記管理サーバに送信し、
前記管理サーバは、受信した前記識別符号及び前記ＵＲＬと、前記管理テーブルとを照合し、照合結果を前記端末に送信し、
前記端末は、前記照合結果に基づいて、前記受信した前記識別符号に関連づけられたＵＲＬが示す前記Ｗｅｂサイトに接続可能となることを特徴とするＷｅｂサイト接続管理システム。
【請求項２】
請求項１記載のＷｅｂサイト接続管理システムにおいて、
前記管理テーブルには、前記発信装置の位置情報が記憶され、
前記端末は、前記端末の位置情報を前記管理サーバに送信し、
前記管理サーバは、受信した前記識別符号、前記ＵＲＬ及び前記端末の前記位置情報と、前記管理テーブルとを照合し、照合結果を前記端末に送信し、
前記端末は、前記照合結果に基づいて、前記受信したＵＲＬに基づいて前記Ｗｅｂサイトに接続可能となることを特徴とするＷｅｂサイト接続管理システム。
【請求項３】
請求項１又は２記載のＷｅｂサイト接続管理システムにおいて、
前記管理テーブルに記憶される記憶内容は、前記端末と異なる端末から登録されることを特徴とするＷｅｂサイト接続管理システム。
【請求項４】
請求項１〜３のいずれか１項に記載のＷｅｂサイト接続管理システムにおいて、
前記受信した前記識別符号に関連づけられたＵＲＬは、前記発信装置から前記端末に送信されることを特徴とするＷｅｂサイト接続管理システム。
【請求項５】
請求項１〜３のいずれか１項に記載のＷｅｂサイト接続管理システムにおいて、
前記受信した前記識別符号に関連づけられたＵＲＬは、前記端末が前記受信した前記識別符号に基づいて、前記管理サーバと異なるサーバから取得することを特徴とするＷｅｂサイト接続管理システム。
【請求項６】
請求項２〜５のいずれか１項に記載のＷｅｂサイト接続管理システムにおいて、
前記発信装置は、位置情報検出部を有し、前記発信装置の前記位置情報は、前記位置情報検出部によって取得されることを特徴とするＷｅｂサイト接続管理システム。
【発明の詳細な説明】
【技術分野】
【０００１】
本発明は、発信装置とBluetooth（登録商標）通信する端末が通信可能な管理サーバを備えるＷｅｂサイト接続管理システムに関する。
【背景技術】
【０００２】
近年、スマートフォン等の移動端末機器の普及により、インターネットへの常時接続が可能となった。この常時接続が可能な状況下では、店舗内にビーコン等の発信装置を設置し、店舗に近づいた人々に店舗の情報を発信するサービスが行われている。
【０００３】
このようなサービスを提供するシステムとして、サービス管理システムが知られている（特許文献１参照）。このサービス管理システムでは、ビーコン通信装置がアドバタイジングパケット（Advertising Packet）をブロードキャストし、携帯端末がアドバタイジングパケットを受信し、サーバシステムにポイントの付与の要求が行われている。
【０００４】
このようなサービスでは、悪意の第三者がアドバタイジングパケットを偽装して、ポイントを不正に取得する場合がある。かかる場合に、このサービス管理システムでは、アドバタイジングパケットに含まれるＵＵＩＤを更新することにより、ポイントの不正取得を防いでいる。
【先行技術文献】
【特許文献】
【０００５】
【特許文献１】特開２０１５−１７７５１１号公報
【発明の概要】
【発明が解決しようとする課題】
【０００６】
しかしながら、特許文献１に示されたサービス管理システムでは、アドバタイジングパケットに含まれるＵＵＩＤの更新内容をサーバに送信している。この更新内容の送信は、Bluetooth（登録商標）通信とは、異なる通信方式で行われており、ビーコン通信装置は、２種類の通信方式に対応した通信手段を備える必要があり、装置構成が煩雑となる。また、ポイントの不正取得を完全に防ぐためには、頻繁に更新が必要となり、サービス管理システムの負荷が大きい。
【０００７】
また、このサービス管理システムでは、携帯端末でアドバタイジングパケットを受信した利用者を不正なＷｅｂサイトへの誘導を防ぐことができない。また、不正な発信装置から発信されたパケットに基づいたＷｅｂサイトへの誘導も防ぐことができない。
【０００８】
本発明は、上記の課題を考慮してなされたものであって、安全にＷｅｂサイトを利用できるＷｅｂサイト接続管理システムを提供することを目的とする。
【課題を解決するための手段】
【０００９】
本発明に係るＷｅｂサイト接続管理システムは、発信装置とBluetooth（登録商標）通信する端末が通信可能な管理サーバを備えるＷｅｂサイト接続管理システムであって、前記発信装置は、前記発信装置を識別する識別符号が記録される発信記憶部を有し、前記管理サーバは、前記識別符号及び前記発信装置と関連づけられたＷｅｂサイトのＵＲＬが記憶される管理テーブルを有するデータベース部を有し、前記端末は、前記発信装置から受信した前記識別符号及び前記受信した前記識別符号に関連づけられたＵＲＬを前記管理サーバに送信し、前記管理サーバは、受信した前記識別符号及び前記ＵＲＬと、前記管理テーブルとを照合し、照合結果を前記端末に送信し、前記端末は、前記照合結果に基づいて、前記受信した前記識別符号に関連づけられたＵＲＬが示す前記Ｗｅｂサイトに接続可能となることを特徴とする。
【００１０】
前記Ｗｅｂサイト接続管理システムにおいて、前記管理テーブルには、前記発信装置の位置情報が記憶され、前記端末は、前記端末の位置情報を前記管理サーバに送信し、前記管理サーバは、受信した前記識別符号、前記ＵＲＬ及び前記端末の前記位置情報と、前記管理テーブルとを照合し、照合結果を前記端末に送信し、前記端末は、前記照合結果に基づいて、前記受信したＵＲＬに基づいて前記Ｗｅｂサイトに接続可能となることを特徴とする。
【００１１】
前記Ｗｅｂサイト接続管理システムにおいて、前記管理テーブルに記憶される記憶内容は、前記端末と異なる端末から登録されることを特徴とする。
【００１２】
前記Ｗｅｂサイト接続管理システムにおいて、前記受信した前記識別符号に関連づけられたＵＲＬは、前記発信装置から前記端末に送信されることを特徴とする。
【００１３】
前記Ｗｅｂサイト接続管理システムにおいて、前記受信した前記識別符号に関連づけられたＵＲＬは、前記端末が前記受信した前記識別符号に基づいて、前記管理サーバと異なるサーバから取得することを特徴とする。
【００１４】
前記Ｗｅｂサイト接続管理システムにおいて、前記発信装置は、位置情報検出部を有し、前記発信装置の前記位置情報は、前記位置情報検出部によって取得されることを特徴とする。
【発明の効果】
【００１５】
本発明のＷｅｂサイト接続管理システムでは、端末から送信された発信装置の識別符号ＩＤ及び発信装置と関連づけられたＷｅｂサイトのＵＲＬと、管理テーブルに記憶されている発信装置の識別符号ＩＤ及び発信装置と関連づけられたＷｅｂサイトのＵＲＬとを照合し、照合結果に基づいて、前記識別符号ＩＤに関連づけられたＵＲＬが示すＷｅｂサイトに接続可能となることにより、安全にＷｅｂサイトの利用をすることができる。
【００１６】
また、Ｗｅｂサイト接続管理システムでは、識別符号ＩＤ、ＵＲＬ及び端末の位置情報Ｌと管理テーブルとを照合し、照合結果に基づいて、前記識別符号ＩＤに関連づけられたＵＲＬが示すＷｅｂサイトに接続可能となることにより、不正な発信装置から発信されたパケットに基づいたＷｅｂサイトへの接続を防ぐことができる。
【図面の簡単な説明】
【００１７】
【図１】本発明の実施形態に係るＷｅｂサイト接続管理システムの説明図である。
【図２】図２Ａは、発信装置の説明図であり、図２Ｂは発信テーブルの説明図である。
【図３】端末の説明図である。
【図４】図４Ａは管理サーバの説明図であり、図４Ｂは、管理テーブルの説明図である。
【図５】図５は、管理テーブルへの管理情報の登録手順の説明図である。
【図６】本発明の実施形態に係るＷｅｂサイト接続管理システムの処理手順の説明図である。
【発明を実施するための形態】
【００１８】
以下、本発明の実施形態について図面を参照して説明する。図１は、本発明の実施形態に係るＷｅｂサイト接続管理システム１０の説明図であり、図２Ａは、発信装置１００の説明図であり、図２Ｂは、発信テーブル１０８の説明図であり、図３は、端末２００の説明図であり、図４Ａは管理サーバ３００の説明図であり、図４Ｂは、管理テーブル３０８の説明図である。
【００１９】
＜Ｗｅｂサイト接続管理システム１０の構成の説明＞
Ｗｅｂサイト接続管理システム１０は、発信装置１００、端末２００、登録端末２５０、管理サーバ３００、情報サーバ３５０及びＵＲＬ記憶サーバ３６０を備える。端末２００、登録端末２５０は、公衆回線３０を介して管理サーバ３００、情報サーバ３５０及びＵＲＬ記憶サーバ３６０と通信可能である。公衆回線３０は、例えば、インターネット等で構成される。また、発信装置１００は、店舗２０に設けられている。
【００２０】
発信装置１００は、発信制御部１０２、発信ＢＴ通信部１０４及び発信記憶部１０６を備え、これらがバス１１０を介して相互に接続される。発信装置１００は、例えば、ビーコン等で構成される。
【００２１】
発信制御部１０２は、ＣＰＵ、ＲＯＭ、ＲＡＭを備え、発信装置１００の全体の制御を行う制御部である。発信ＢＴ通信部１０４は、Bluetooth（登録商標）4.0（Bluetooth（登録商標） Low Energy）以上の無線通信方式で通信する通信部である。また、発信装置１００は、パケットを送信するブロードキャスタである。
【００２２】
発信記憶部１０６は、発信テーブル１０８を備えるメモリである。発信テーブル１０８には、発信装置１００自体を識別するための識別符号ＩＤ及び発信装置１００と関連づけられたＷｅｂサイトのＵＲＬ（uniform resource locator）が記憶される。図２Ｂでは、識別符号ＩＤ、ＵＲＬとして、この順番にＩＤａ、ＵＲＬａが発信テーブル１０８に記憶されている。
【００２３】
端末２００は、端末制御部２０２、端末ＢＴ通信部２０４、端末通信部２０６、位置情報取得部２０８、端末記憶部２１０、入力部２１２、表示部２１４、出力部２１６及び振動部２１８を備え、これらがバス２２０を介して相互に接続される。また、端末２００は、通信機能を備える端末であり、例えば、携帯電話、スマートフォン、通信機能を備えるコンピュータから構成される。また、端末２００は、発信装置１００に対するオブザーバーである。登録端末２５０は、通信機能を備える端末である。
【００２４】
端末制御部２０２は、ＣＰＵ、ＲＯＭ、ＲＡＭを備え、端末２００の全体の制御を行う制御部である。端末ＢＴ通信部２０４は、Bluetooth（登録商標）通信する通信部である。端末通信部２０６は、管理サーバ３００、情報サーバ３５０、ＵＲＬ記憶サーバ３６０との間をＷｉ−Ｆｉで無線通信する通信部である。
【００２５】
位置情報取得部２０８は、例えば、複数のＧＰＳ衛星から衛星電波を受信し、衛星電波に含まれる各ＧＰＳ衛星の位置情報及び時刻情報に基づき、端末２００の位置情報を取得する手段である。なお、端末２００の位置情報は、端末２００が接続される基地局から取得するようにしてもよい。
【００２６】
端末記憶部２１０はメモリである。入力部２１２は、キーボードやタッチパネル等から構成される。表示部２１４は、種々の情報を表示する表示部である。出力部２１６は、音声を出力する出力部である。振動部２１８は、端末２００を振動させる手段である。
【００２７】
管理サーバ３００は、サーバ制御部３０２、サーバ通信部３０４及びデータベース部３０６を備え、これらがバス３１０を介して相互に接続される。
【００２８】
サーバ制御部３０２は、ＣＰＵ、ＲＯＭ、ＲＡＭを備え、管理サーバ３００の全体の制御を行う制御部である。サーバ通信部３０４は、端末２００、登録端末２５０、情報サーバ３５０との間をＷｉ−Ｆｉ又は有線で通信する通信部である。
【００２９】
データベース部３０６は、管理テーブル３０８を備える。管理テーブル３０８には、管理対象となる発信装置１００の管理情報が記憶される。管理情報として、発信装置１００の識別符号ＩＤ、発信装置１００と関連づけられたＷｅｂサイトのＵＲＬ、発信装置１００の位置情報Ｌが記憶される。図４Ｂでは、識別符号ＩＤ、ＵＲＬ及び位置情報Ｌとして、この順番に識別符号ＩＤａに対して、ＵＲＬａ、Ｌａが、識別符号ＩＤｂに対して、ＵＲＬｂ、Ｌｂが管理テーブル３０８に記憶されている。ここで、発信装置１００の位置情報Ｌとしては、例えば、発信装置１００が存在する緯度経度、発信装置１００が設置されている店舗２０の住所等が記憶される。
【００３０】
情報サーバ３５０は、利用者が端末２００により接続し、利用するＷｅｂサイトが構築されているサーバである。また、ＵＲＬ記憶サーバ３６０は、端末２００が発信装置１００の識別符号ＩＤと関連づけられたＷｅｂサイトに接続するために当該ＷｅｂサイトのＵＲＬが記憶されているサーバである。
【００３１】
＜管理テーブル３０８の登録手順の説明＞
次に、管理サーバ３００の管理テーブル３０８への管理情報の登録手順について、図５を用いて説明する。図５は、管理テーブル３０８への管理情報の登録手順の説明図である。以下、利用者ＡがＷｅｂサイト接続管理システムを利用する場合として説明する。
【００３２】
利用者Ａは、登録端末２５０によって管理サーバ３００に接続し、発信装置１００の管理情報の登録を管理サーバ３００に依頼する（ステップＳ１）。具体的には、利用者Ａは、登録端末２５０から発信装置１００の識別符号ＩＤ、発信装置１００と関連づけられたＷｅｂサイトのＵＲＬ及び発信装置１００の位置情報Ｌを管理サーバ３００へ送信する。
【００３３】
サーバ制御部３０２は、サーバ通信部３０４を介して管理情報を受信し、受信した管理情報に含まれるＵＲＬに関連づけられたＷｅｂサイトに接続し、安全性を確認する（ステップＳ２）。サーバ制御部３０２は、接続してＷｅｂサイトから取得した情報から前記Ｗｅｂサイトの安全性を確認する。安全性の確認基準としては、例えば、Ｗｅｂサイト内のマルウェアの有無、フィッシング詐欺サイトへの該当の当否、ワンクリック詐欺サイトへの該当の当否、正当なサイトを模倣した偽サイトへの該当の当否、迷惑メールと関連性等である。
【００３４】
サーバ制御部３０２は、Ｗｅｂサイトの安全性が確認できた場合には、識別符号ＩＤ、発信装置１００と関連づけられたＷｅｂサイトのＵＲＬ及び発信装置１００の位置情報Ｌを管理テーブル３０８に記憶する（ステップＳ３）。
【００３５】
サーバ制御部３０２は、サーバ通信部３０４を介して、管理テーブル３０８に管理情報を登録した旨を登録端末２５０へ送信する（ステップＳ４）。
【００３６】
なお、ステップＳ２において、サーバ制御部３０２が、Ｗｅｂサイトから取得した情報と安全性の確認基準とを照らした結果、安全性の確認ができなかった場合には、ステップＳ４において、サーバ制御部３０２は、管理情報を登録できなかった旨を登録端末２５０へ送信することとなる。
【００３７】
＜Ｗｅｂサイト接続管理システムの動作の説明＞
次に、Ｗｅｂサイト接続管理システム１０の動作について、図６を用いて説明する。図６は、本発明の実施形態に係るＷｅｂサイト接続管理システム１０の処理手順の説明図である。
【００３８】
まず、発信装置１００では、発信制御部１０２が、発信テーブル１０８に記憶されている識別符号ＩＤ及び発信装置１００と関連づけられたＷｅｂサイトのＵＲＬを含むアドバタイジングパケットを端末２００へ送信する（ステップＳ１１）。前記アドバタイジングパケットの送信は、発信ＢＴ通信部１０４を介してブロードキャストで行われる。
【００３９】
端末２００では、端末制御部２０２が端末ＢＴ通信部２０４を介して、前記アドバタイジングパケットを受信する。端末制御部２０２は位置情報取得部２０８に端末２００の位置情報の取得を指示し、位置情報取得部２０８は、端末２００の位置情報を取得する（ステップＳ１２）。
【００４０】
端末制御部２０２は、端末通信部２０６を介して、前記アドバタイジングパケットに含まれる識別符号ＩＤ、ＵＲＬ及び取得した端末２００の位置情報Ｌを含む発信確認情報を管理サーバ３００へ送信する（ステップＳ１３）。送信された発信確認情報のうち、識別符号ＩＤ、ＵＲＬ及び位置情報Ｌは、この順番にＩＤａ、ＵＲＬａ及びＬｘとする。
【００４１】
管理サーバ３００では、サーバ制御部３０２は、サーバ通信部３０４を介して受信した発信確認情報と管理テーブル３０８に記憶されている管理情報とを照合する（ステップＳ１４）。管理テーブル３０８の管理情報内に識別符号ＩＤ、ＵＲＬとして、ＩＤａ、ＵＲＬａが含まれ、発信確認情報内に識別符号ＩＤ、ＵＲＬとして、ＩＤａ、ＵＲＬａが含まれている。従って、サーバ制御部３０２は、管理情報の識別符号ＩＤ、ＵＲＬと、発信確認情報の識別符号ＩＤ、ＵＲＬとは一致したと判断する。
【００４２】
次に、管理情報の位置情報Ｌと、発信確認情報の位置情報Ｌを照合する。サーバ制御部３０２は、管理情報の位置情報Ｌａと発信確認情報の位置情報Ｌｘから発信装置１００と端末２００との距離ｒを算出し、距離ｒが所定値Ｒｔｈ未満の場合には、サーバ制御部３０２は、発信確認情報は真の発信装置１００から送信したされたものと判断する。一方、距離ｒが所定値Ｒｔｈ以上の場合には、サーバ制御部３０２は、発信確認情報は偽の発信装置１００から送信したされたものと判断する。ここで、所定値Ｒｔｈとしては、例えば、０〜１０ｍである。ステップＳ１４では、管理情報の位置情報Ｌａと発信確認情報の位置情報Ｌｘから距離ｒは、所定値Ｒｔｈ未満であるとする。
【００４３】
かかる場合には、サーバ制御部３０２は、管理情報の識別符号ＩＤ、ＵＲＬと、発信確認情報の識別符号ＩＤ、ＵＲＬとは一致した判断し、また、発信確認情報は真の発信装置１００から送信したされたものと判断する。従って、サーバ制御部３０２は、サーバ通信部３０４を介して、受信したアドバタイジングパケットは、照合結果として安全である旨を端末２００へ送信する（ステップＳ１５）。
【００４４】
端末２００では、端末制御部２０２が端末通信部２０６を介して、前記照合結果を受信する（ステップＳ１６）。端末２００では、端末制御部２０２が、照合結果を表示部２１４に表示させるとともに、出力部２１６から照合結果が受信された旨が利用者Ａに音声で通知される。また、この通知は、振動部２１８を振動させることにより利用者Ａに通知してもよい。
【００４５】
以後、利用者Ａは、端末２００により、アドバタイジングパケットに含まれるＵＲＬに基づいて、情報サーバ３５０にあるＷｅｂサイトに安全して接続し、利用が可能となる（ステップＳ１７）。
【００４６】
なお、ステップＳ１５において、距離ｒが所定値Ｒｔｈ以上の場合には、サーバ制御部３０２は、サーバ通信部３０４を介して、受信したアドバタイジングパケットは照合結果として安全性を担保できない旨を端末２００へ送信することとなる。
【００４７】
Ｗｅｂサイト接続管理システム１０は、発信装置１００とBluetooth（登録商標）通信する端末２００が通信可能な管理サーバ３００を備えるＷｅｂサイト接続管理システムであって、前記発信装置１００は、前記発信装置１００を識別する識別符号ＩＤが記録される発信記憶部１０６を有し、前記管理サーバ３００は、前記識別符号ＩＤ及び前記発信装置１００と関連づけられたＷｅｂサイトのＵＲＬが記憶される管理テーブル３０８を有するデータベース部３０６を有し、前記端末２００は、前記発信装置１００から受信した前記識別符号ＩＤ及び前記受信した前記識別符号ＩＤに関連づけられたＵＲＬを前記管理サーバ３００に送信し、前記管理サーバ３００は、受信した前記識別符号ＩＤ及び前記ＵＲＬと、前記管理テーブル３０８とを照合し、照合結果を前記端末２００に送信し、前記端末２００は、前記照合結果に基づいて、前記受信した前記識別符号ＩＤに関連づけられたＵＲＬが示す前記Ｗｅｂサイトに接続可能となる。
【００４８】
Ｗｅｂサイト接続管理システム１０では、端末２００から送信された発信装置１００の識別符号ＩＤ及び発信装置１００と関連づけられたＷｅｂサイトのＵＲＬと、管理テーブル３０８に記憶されている発信装置１００の識別符号ＩＤ及び発信装置１００と関連づけられたＷｅｂサイトのＵＲＬとを照合し、照合結果に基づいて、前記識別符号ＩＤに関連づけられたＵＲＬが示すＷｅｂサイトに接続可能となることにより、安全にＷｅｂサイトを利用することができる。
【００４９】
Ｗｅｂサイト接続管理システム１０において、前記管理テーブル３０８には、前記発信装置１００の位置情報Ｌが記憶され、前記端末２００は、前記端末２００の位置情報Ｌを前記管理サーバ３００に送信し、前記管理サーバ３００は、受信した前記識別符号ＩＤ、前記ＵＲＬ及び前記端末２００の前記位置情報Ｌと前記管理テーブル３０８とを照合し、照合結果を前記端末２００に送信し、前記端末２００は、前記照合結果に基づいて、前記受信したＵＲＬに基づいて前記Ｗｅｂサイトに接続可能となる。
【００５０】
Ｗｅｂサイト接続管理システム１０では、識別符号ＩＤ、ＵＲＬ及び端末２００の位置情報Ｌと管理テーブル３０８とを照合し、照合結果に基づいて、前記識別符号ＩＤに関連づけられたＵＲＬが示すＷｅｂサイトに接続可能となることにより、不正な発信装置１００から発信されたパケットに基づいたＷｅｂサイトへの接続を防ぐことができる。
【００５１】
Ｗｅｂサイト接続管理システム１０において、前記管理テーブル３０８に記憶される記憶内容は、前記端末２００と異なる端末２００から登録されてもよい。
【００５２】
また、Ｗｅｂサイト接続管理システム１０において、前記受信した前記識別符号ＩＤに関連づけられたＵＲＬは、前記発信装置１００から前記端末２００に送信されてもよい。
【００５３】
さらに、Ｗｅｂサイト接続管理システム１０において、前記受信した前記識別符号ＩＤに関連づけられたＵＲＬは、前記端末２００が前記受信した前記識別符号ＩＤに基づいて、前記管理サーバ３００と異なるＵＲＬ記憶サーバ３６０から取得してもよい。
【００５４】
また、Ｗｅｂサイト接続管理システム１０において、前記発信装置１００は、位置情報検出部を有し、前記発信装置１００の前記位置情報Ｌは、前記位置情報検出部によって取得されてもよい。
【００５５】
なお、本発明は、上述の実施形態に限らず、本発明の要旨を逸脱することなく、種々の構成を採り得ることはもちろんである。
【００５６】
例えば、上述の実施形態では、店舗２０は、町中にある店舗であるが、発信装置１００が設置できるＰＯＩ（Point Of Interest）であれば、これに限定されるものではない。ここで、ＰＯＩとは、便利な場所や興味のある場所などとして人が知覚する特定の地点及び施設等であって、店舗、会社、事務所、公共施設、娯楽施設、及び屋外施設等であってもよい。
【００５７】
また、発信装置１００は、位置情報取得部を備えていてもよい。ここで、位置情報取得部とは、例えば、複数のＧＰＳ衛星から衛星電波を受信し、衛星電波に含まれる各ＧＰＳ衛星の位置情報及び時刻情報に基づき、発信装置１００の位置情報を取得する手段である。かかる場合には、ステップＳ１において、発信装置１００の位置情報は、位置情報取得部で取得され、管理サーバ３００に送信されることとなる。
【００５８】
さらに、上述した実施形態では、発信テーブル１０８には、発信装置１００と関連づけられたＷｅｂサイトのＵＲＬが含まれ、また、ステップＳ１１において、アドバタイジングパケット内には、前記ＵＲＬが含まれる。しかしながら、ステップＳ１３において、ＵＲＬを含めた発信確認情報を管理サーバ３００に送信できれば、発信テーブル１０８には、前記ＵＲＬが含まれていなくてもよい。従って、発信装置１００から送信されるアドバタイジングパケットにも前記ＵＲＬは含まれないこととなる。また、端末記憶部２１０には、識別符号ＩＤに基づいてＵＲＬ記憶サーバ３６０へ接続するための機能、識別符号ＩＤ毎に発信装置１００と関連づけられたＷｅｂサイトのＵＲＬのテーブルを備えるアプリケーションが記憶されていてもよい。
【００５９】
かかる場合には、ステップＳ１３において、まず、端末制御部２０２は、端末ＢＴ通信部２０４を介して発信装置１００からアドバタイジングパケットを受信し、アドバタイジングパケットに含まれる識別符号ＩＤを取得する。端末制御部２０２は、取得した識別符号ＩＤに基づいて前記アプリケーションによりＵＲＬ記憶サーバ３６０へ接続し、ＵＲＬ記憶サーバ３６０から識別符号ＩＤに関連づけられたＵＲＬを取得し、発信確認情報に取得したＵＲＬを含めて、管理サーバ３００に送信してもよい。また、端末制御部２０２は、前記アプリケーションによりＵＲＬ記憶サーバ３６０へ接続せずに、前記アプリケーションのテーブルから取得した識別符号ＩＤに対する発信装置１００と関連づけられたＷｅｂサイトのＵＲＬを取得し、発信確認情報に取得したＵＲＬを含めて、管理サーバ３００に送信してもよい。
【符号の説明】
【００６０】
１０…Ｗｅｂサイト接続管理システム
２０…店舗
３０…公衆回線
１００…発信装置
１０２…発信制御部
１０４…発信ＢＴ通信部
１０６…発信記憶部
１０８…発信テーブル
１１０、２２０、３１０…バス
２００…端末
２０２…端末制御部
２０４…端末ＢＴ通信部
２０６…端末通信部
２０８…位置情報取得部
２１０…端末記憶部
２１２…入力部
２１４…表示部
２１６…出力部
２１８…振動部
２５０…登録端末
３００…管理サーバ
３０２…サーバ制御部
３０４…サーバ通信部
３０６…データベース部
３０８…管理テーブル
３５０…情報サーバ
３６０…ＵＲＬ記憶サーバ
【図１】
2018147181.tif 000003
【図２】
2018147181.tif 000004
【図３】
2018147181.tif 000005
【図４】
2018147181.tif 000006
【図５】
2018147181.tif 000007
【図６】
2018147181.tif 000008